(57)【要約】【課題】使いやすくて組み込みやすい電気真空掃除機を提供すること。【解決手段】真空掃除機は、ハウジング（１４）を備え、空気入口（１６）と空気出口（１８）の間に空気流を発生させるモーター及びファンのアセンブリーを備える。取り外し可能な集塵箱（２４）は空気流の中にごみを受け入れる。集塵箱が空気入口と空気出口の間に流体連通するように位置し、ハウジングに取り付け可能である。ロック機構（２６）が、集塵箱をハウジングに取り外し可能に連結するように、ロック有効位置とロック解除位置との間で可動である。排出機構（７０）が、ロック機構がロック解除位置にあるときに集塵箱をハウジングから排出するように、構成される。【選択図】図１
2015202409.tif 000002
【特許請求の範囲】
【請求項１】
ハウジングと、
空気入口と空気出口の間に空気流を発生させるモーター及びファンのアセンブリーと、
前記空気流の中のごみを受け取る取り外し可能集塵箱であって、前記集塵箱は、前記空気入口と前記空気出口の間に流体連通するように位置し、前記ハウジングに取り付け可能な、取り外し可能集塵箱と、
前記集塵箱を前記ハウジングに取り外し可能に連結する、ロック有効位置とロック解除位置の間で可動なロック機構と、
前記ロック機構が前記ロック解除位置にあるときに前記集塵箱を前記ハウジングから排出して離すように構成された排出機構と、
を備える、
ことを特徴とする真空掃除機。
【請求項２】
前記排出機構は、前記集塵箱の中の相補的凹部に係合可能な少なくとも１つの凸アームを備える、ことを特徴とする請求項１に記載の真空掃除機。
【請求項３】
前記排出機構は、前記集塵箱を衝き動かして前記ハウジングから離れさせる付勢部材を備える、ことを特徴とする請求項１又は２に記載の真空掃除機。
【請求項４】
前記集塵箱は、前記集塵箱が前記真空掃除機の長手方向軸線に対して実質的に横断的な方向に可動なように、前記ハウジングに取り外し可能に連結される、ことを特徴とする請求項１から３のいずれか一項に記載の真空掃除機。
【請求項５】
前記ハウジングはハンドルを備え、前記集塵箱は前記ハンドルと前記ハウジングの間に取り付け可能である、ことを特徴とする請求項１から４のいずれか一項に記載の真空掃除機。
【請求項６】
前記排出機構は、前記集塵箱が前記ハウジングとロック可能である連結位置から、前記集塵箱が前記ハウジングから突出している非連結位置へと、前記集塵箱を衝き動かして離れさせるように構成される、ことを特徴とする請求項１から５のいずれか一項に記載の真空掃除機。
【請求項７】
前記ハウジングは、前記集塵箱が前記非連結位置にあるときに前記集塵箱と前記ハウジングの間の摩擦を増加させる把持要素を備える、ことを特徴とする請求項６に記載の真空掃除機。
【請求項８】
前記ロック機構は、第１のラッチ部分と第２のキャッチ部分を備える、ことを特徴とする請求項１から７のいずれか一項に記載の真空掃除機。
【請求項９】
前記第１のラッチ部分は、複数の可動爪要素を備え、前記第２のキャッチ部分は複数の対応する相補的固定爪要素を備える、ことを特徴とする請求項８に記載の真空掃除機。
【請求項１０】
前記ロック機構の少なくとも一部は、可動輪状部材に取り付けられる、ことを特徴とする請求項１から９のいずれか一項に記載の真空掃除機。
【請求項１１】
前記可動輪状部材は、前記集塵箱に取り付けられる、ことを特徴とする請求項１０に記載の真空掃除機。
【請求項１２】
前記集塵箱は実質的に円形の横断面を備え、前記輪状部材は前記集塵箱の長手方向軸線の周りに回転可能である、ことを特徴とする請求項１１に記載の真空掃除機。
【請求項１３】
前記ロック機構の前記少なくとも一部は、前記ハウジングに取り付けられる、ことを特徴とする請求項１から１２のいずれか一項に記載の真空掃除機。
【請求項１４】
前記真空掃除機は、前記ロック機構を作動させる作動ボタンを備える、ことを特徴とする請求項１から１３のいずれか一項に記載の真空掃除機。
【請求項１５】
前記ロック機構は、前記ロック位置に付勢される、ことを特徴とする請求項１から１４のいずれか一項に記載の真空掃除機。
【発明の詳細な説明】
【技術分野】
【０００１】
本発明は、真空掃除機に関する。
【背景技術】
【０００２】
真空掃除機は、塵やごみを収集するものとしてよく知られている。
通常、真空掃除機は、家庭内環境での使用を念頭に置いているが、他の環境での使用も見られる。
概して、真空掃除機は電気で動くもので、電気モーターと、モーターの出力軸に接続されたファンと、汚れた空気の入口と、清浄な空気の出口と、集塵室とを備える。
塵フィルター及び／又は他の分離手段が、汚れた空気からごみを除去するために、入口と集塵室の間に位置している。
電力は、主電源によるか、交換可能及び／又は充電可能な電池パックによって供給することができる。
【０００３】
最近では、電池作動式真空掃除機が、電源ケーブルの必要性をなくし、ユーザーが主電源から離れたところで真空掃除機を使用することを可能とするため、流行となってきている。
電池作動式真空掃除機はしばしば、真空掃除機の可搬性も向上させた、より小さいハンドヘルド式装置である。
これにより、例えば、ユーザーは、電池作動式ハンドヘルド式真空掃除機をどんな主電源からも遠く離れた乗り物で使用することができる。
【０００４】
通常、ハンドヘルド式真空掃除機は充分小さいので、ユーザーはハンドヘルド式真空掃除機を片手で操作し、運ぶことができる。
このことは、集塵室と塵フィルターが直立型又は円筒型真空掃除機よりも小さく、より頻繁に集塵室とフィルターを空にして掃除する必要があるということを意味する。
相対的に小さい集塵室を有するハンドヘルド式真空掃除機の一つの利点は、ユーザーが集塵室を水道で洗うことができるということである。
【０００５】
ハンドヘルド式真空掃除機に取り外し可能集塵室を備えることが知られている。
特許文献１は、例えば、差込み継手によってハウジングの外部周縁に接続された集塵ボウルであって、その集塵ボウルを開けるとサイクロンアセンブリーの取り外しが可能になるという集塵ボウルを開示する。
【０００６】
特許文献１の集塵ボウルの問題は、ユーザーに集塵ボウルとハンドヘルド式真空掃除機のハウジングとの位置合わせが正しくできないことがあるということである。
集塵ボウルの位置合わせが正しくなされていないと、真空掃除機の中に空気が正しく吸引されなかったり、集塵ボウルが不意に叩き落とされたりすることがある。
【先行技術文献】
【特許文献】
【０００７】
【特許文献１】欧州特許第２５８１０１３号明細書
【発明の概要】
【発明が解決しようとする課題】
【０００８】
使いやすくて組み込みやすい電気真空掃除機が所望されている。
本発明の実施形態は、上記問題へ取り組むことを目的とする。
【課題を解決するための手段】
【０００９】
本発明の一態様では、ハウジングと；空気入口と空気出口の間に空気流を発生させる、モーター及びファンのアセンブリーと；空気流の中のごみを受け取る取り外し可能集塵箱であって、集塵箱は、空気入口と空気出口の間に流体連通するように位置し、ハウジングに取り付け可能なものである、取り外し可能集塵箱と；集塵箱をハウジングに取り外し可能に連結する、ロック有効位置とロック解除位置の間で可動なロック機構と；ロック機構がロック解除位置にあるときに集塵箱をハウジングから排出するように構成された排出機構と、を備える、真空掃除機がある。
【００１０】
このことは、排出機構が箱をハウジングから離すので、集塵箱はハウジングから取り外しやすいということを意味する。
このようにして、集塵箱はハウジングから突き出て、これで、ユーザーにとって集塵箱がより取り外しやすいものとなる。
【００１１】
好ましくは、排出機構は、集塵箱の中の相補的凹部と係合可能な少なくとも１つの凸アームを備える。
凸アームは、ハウジングに枢動可能に取り付けられる。
【００１２】
好ましくは、排出機構は、集塵箱を衝き動かしてハウジングから離れさせる付勢部材を備える。
このことは、ロック機構がロック解除位置に移行するや否や集塵箱がハウジングから排出されるということを意味する。
【００１３】
好ましくは、集塵箱は、集塵箱が真空掃除機の長手方向軸線に実質的に横断的な方向に可動なように、ハウジングに取り外し可能に連結される。
好ましくは、ハウジングはハンドルを備え、集塵箱はハンドルとハウジングの間に取り付け可能である。
このことは、真空掃除機のハンドルを保持している間に集塵箱が取り外しやすいということを意味する。
【００１４】
好ましくは、排出機構は、集塵箱がハウジングとロック可能である連結位置から、集塵箱がハウジングから突出している非連結位置へと、集塵箱を衝き動かして離れさせるように構成される。
【００１５】
好ましくは、ハウジングは、集塵箱が非連結位置にあるときに集塵箱とハウジングの間の摩擦を増加させる把持要素を備える。
このことは、集塵箱が地表面に向くようにユーザーが真空掃除機の方向を変えても、集塵箱はハウジングから外れ落ちないということを意味する。
【００１６】
好ましくは、ロック機構は、第１のラッチ部分と第２のキャッチ部分を備える。
好ましくは、第１のラッチ部分は、複数の可動爪要素を備え、第２のキャッチ部分は複数の対応する相補的固定爪要素を備える。
好ましくは、ロック機構の少なくとも一部は、可動な輪状部材に取り付けられる。
好ましくは、可動な輪状部材は、集塵箱に取り付けられる。
好ましくは、集塵箱は実質的に円形の横断面を備え、輪状部材は前記集塵箱の長手方向軸線の周りに回転可能である。
【００１７】
好ましくは、ロック機構の少なくとも一部は、ハウジングに取り付けられる。
好ましくは、真空掃除機は、ロック機構を作動させる作動ボタンを備える。
好ましくは、ロック機構は、ロック有効位置とロック解除位置の間で可動であり、ロック機構は、ロック位置に付勢される。
【図面の簡単な説明】
【００１８】
種々の他の態様及びさらなる実施形態はまた、添付の図面に関連して、下の詳細な説明と添付の特許請求の範囲に記載され、図面は次の通りである。
【図１】真空掃除機の透視図を示す。
【図２】真空掃除機の透視図を示す。
【図３】集塵箱の部分的透視図を示す。
【図４】真空掃除機の一部の断面図を示す。
【図５】真空掃除機のハウジングの部分的透視図を示す。
【図６】真空掃除機の模式図を示す。
【図７】真空掃除機の断面図を示す。
【図８】真空掃除機の断面図を示す。
【発明を実施するための形態】
【００１９】
図１は、真空掃除機１０の透視図を示す。
真空掃除機１０は、ハンドヘルド式真空掃除機であり、ユーザーは、使用中、ハンドル１２によって真空掃除機を保持することができる。
真空掃除機１０は、直立型真空掃除機、円筒型真空掃除機等、他のどのような種類の真空掃除機であってもよい。
これ以降論じられる実施形態では、真空掃除機１０はハンドヘルド式真空掃除機である。
【００２０】
真空掃除機１０はハウジング１４を備える。
ハウジング１４は、既知のクラムシェル型装置を備え、これによってハウジング１４はお互いに固定し合う２つの半分を備える。
ハウジング１４は、クラムシェル型装置に付設される、ハンドル１２等の追加的ハウジング部品を備えてもよい。
【００２１】
ハウジング１４は、空気流を発生させるモーター及びファンアセンブリー２１を収納する。
モーター及びファンアセンブリーは、空気入口１６から汚れた空気を吸引し、空気出口１８から清浄な空気を排気する。
空気入口１６は、突起ノズル２０に位置する。
ノズル２０は、１つ又は複数の掃除道具延長部（図示されない）を取り外し可能に装着するための連結機構２２を備える。
掃除道具延長部をノズル２０に連結すると、掃除道具はノズル２０と流体連通し、空気入口１６は、装着した掃除道具延長部の端部で効果的な状態になる。
空気出口１８は、ハウジング１４の中に複数の穴を含む。
空気出口１８は、清浄な空気が空気入口１６から離れた方向へ排気されるような向きとなっている。
【００２２】
取り外し可能集塵箱２４は、空気入口１６と空気出口１８の間で流体連通する。
このようにして、空気入口１６と空気出口１８の間の空気流経路は取り外し可能集塵箱２４を通過する。
取り外し可能集塵箱２４は、ロック機構２６によってハウジング１４に取り外し可能に連結される。
図１は、ハウジング１４に連結される取り外し可能集塵箱２４を示す。
これは、ユーザーが集塵箱２４をハウジング１４から引き離そうとしたとしても、集塵箱２４はハウジング１４から動かないということを意味する。
【００２３】
集塵箱２４はハウジング１４とハンドル１２の間に位置する。
このことは、ユーザーが片手にハンドルを保持し、もう一方の手でロック機構２６を操作することができるような位置に、真空掃除機１０の塊の中心が位置することを意味する。
集塵箱２４は、ハウジング１４の中の相補的受入れ空洞２９に受け入れられる。
集塵箱２４には方向性があり、受入れ空洞２９に一方向でしか嵌合しない。
【００２４】
分離要素２８は集塵箱２４の中に取り付けられる。
いくつかの実施形態では、分離要素２８は、一次的サイクロン式分離手段と二次的サイクロン式分離手段をもったサイクロン式分離要素である。
このことは、汚れた空気が集塵箱２４を通って流れるに従ってごみが空気流から除去され、集塵箱２４の中に溜まるということを意味する。
空気流が全て分離要素２８を通過すると、ごみは全て空気流から除去され、空気は「清浄空気」とみなしてよい。
【００２５】
いくつかの実施形態では、分離要素２８は、フィルター要素（図示されない）を代替又は追加として備える。
フィルター要素は、代替的又は追加的にごみを空気流から除去する微細格子又は発泡充填物等、空気透過性バリアである。
【００２６】
図２を見ると、それは、真空掃除機１０の透視図を開示する。
取り外し可能集塵箱２４が完全にハウジング１４から取り外されている。
この配置で、ユーザーは集塵箱２４を取り外すことができ、それをハウジング１４とは別にきれいにできる。
詳しくは、ユーザーは、集塵箱２４に水道水をかけてそれをきれいにすることができる。
分離要素２８は、分離要素２８と集塵箱が別々にきれいにできるように、集塵箱２４から取り外し可能である。
集塵箱２４は、実質的に円筒形状を備える。
いくつかの実施形態では、集塵箱２４は、実質的に円形の断面を有する。
他の実施形態では、集塵箱２４は、どのような適切な形状でもよい。
集塵箱２４は、長手方向軸線Ａを含み、集塵箱２４は、長手方向軸線Ａと平行か同軸である経路に沿って可動である。
集塵箱２４の長手方向軸線Ａは、真空掃除機１０の長手方向軸線Ｂに対して実質的に横断的方向にある。
詳しくは、集塵箱２４は、真空掃除機１０の長手方向軸線Ｂに対して実質的に垂直である方向に可動である。
【００２７】
集塵箱２４はまた、開閉可能な、分離要素２８の下側を見せるようにする扉３０を備える。
ごみは、開閉可能扉３０に隣接したところで集められ、開閉可能扉３０はまた、集塵箱２４からごみの殆どを除去する１つの便利な方法を提供する。
開閉可能扉３０は、集塵箱２４がハウジング１４に連結されているとき及び／又は集塵箱がハウジング１４とは連結されていないときに、触って開けることができる。
【００２８】
ハウジング１４は、ノズル２０と流体連通するノズル空気出口３２を備える。
ノズル空気出口３２は、ノズル２０の空気入口１６から吸引される汚れた空気を集塵箱２４の中へ出す。
清浄空気が、集塵箱２４の開放端３４のところで集塵箱２４から空気出口１８へ出される。
開放端３４は、集塵箱２４の、開閉可能扉３０とは反対側の端にある。
【００２９】
真空掃除機１０は、集塵箱２４とハウジング１４の間に少なくとも１つの気密性シール３５を備える。
追加的シール（図示されない）を集塵箱２４とハウジング１４の間の接合部に設けてもよい。
気密性シールは、集塵箱２４がハウジング１４に連結されている場合に空気がハウジング１４と集塵箱２４の間から逃げないことを確実にする。
【００３０】
以下、ロック機構２６を図３、４、及び５に関連してさらに詳細に論じる。
図３は、集塵箱２４の部分的透視図を開示する。
図４は、集塵箱２４の端部の部分的断面図を開示する。
図５は、ハウジング１４及び集塵箱２４の部分的透視図を開示する。
ロック機構２６は、集塵箱２４をハウジング１４にロックするどのような適切な手段であってもよい。
いくつかの実施形態では、図には示していないが、ロック機構は、集塵箱２４に突起差込みがあり、ハウジング１４に相補的スロットのある、差込み型継手であってもよい。
【００３１】
図３に戻ると、ロック機構２６の第１部分３６は集塵箱２４に取り付けられ、ロック機構２６の第２部分３８はハウジング１４に取り付けられる。
第１部分３６は可動なラッチであり、第２部分３８はキャッチである。
第１部分３６は集塵箱２４に取り付けられた回転可能輪４０であり、その長手方向軸線Ａの周りに回転可能である。
回転可能輪４０は、回転可能輪４０のスロット４４に位置するスクリュー４２によって、環状溝５２（図４に示す通り）の中で回転可能に、集塵箱２４に取り付けられる。
回転可能輪４０は、環状溝５２の環状肩５４部分の上に載っている。
スロット４４は弓状であり、回転可能輪４０が集塵箱２４に対して回転可能とされる程度を決定する。
回転可能輪４０の円周周りに複数のスクリュー４２及びスロット４４が位置する。
いくつの数のスクリュー４２及びスロット４４を用いて、回転可能輪４０を集塵箱２４に取り付けてもよい。
あるいは、他の実施形態では、どのような他の適切な手段を用いて回転可能輪４０を集塵箱２４に取り付けて、やはり、集塵箱２４に対して回転可能輪の回転を可能としてもよい。
【００３２】
回転可能輪４０は、環状溝５２の底部５８に位置するばね５６によって、ロック位置へ付勢される。
ばね５６は回転可能輪４０及び集塵箱２４の一部に連結される。
回転可能輪４０は、ユーザーが回転可能輪４０をロック解除位置へと回転させ、回転可能輪４０から離れると、ロック位置にすぐ戻るように構成される。
【００３３】
図３に戻ると、可動爪４６が回転可能輪４０から上の方に突起している。
可動爪は、回転可能輪４０と一体化しており、回転可能輪４０が動くと動く。
回転可能輪４０の回転は、ユーザー操作作動部４８を使って行われる。
作動部４８は、ユーザーが押す直立親指押し部分５０を備える。
【００３４】
ロック機構２６の第２部分３８を図５にさらに詳しく示す。
いくつかの実施形態では、第２部分３８は、ハウジングに対して固定される複数の固定爪６０を備える。
固定爪６０はハウジング１４と一体化している。
固定爪６０はハウジング１４から、集塵箱２４の長手方向軸線Ａの方向に、直立している。
固定爪は、可動爪４６とロック位置で係合するように構成される。
いくつかの代替的な実施形態では、固定爪は、可動爪４６を受け入れるようにハウジング１４において相補的凹部に替えられる。
【００３５】
固定爪６０と可動爪４６の係合は、図６に関連してさらに詳しく論じる。
図６は、ロック機構２６の一部の模式的大写し表示である。
回転可能輪４０の一部を、一体化した可動爪４６とともに示す。
図６では、集塵箱２４がハウジング１４に近接していて、回転可能輪４０がロック解除位置にあるところが示されている。
この位置では、可動爪４６は固定爪６０と係合していない。
ロック解除位置で、集塵箱２４は長手方向軸線Ａに沿って可動である。
回転可能輪をロック解除位置で動かすと、ばね５６は圧縮され、これにより、図６で矢印が示す通り、回転可能輪４０はロック有効位置へと衝き動かされる。
【００３６】
可動爪４６及び固定爪はそれぞれ平坦当接面６２、６４を有する。
ロック有効位置で、可動爪４６及び固定爪６０の平坦当接面６２、６４はお互いに係合する。
このことは、爪４６、６０が相互にロックし合い、集塵箱２４がハウジング１４に連結されていることを意味する。
ユーザーが集塵箱２４を引っ張っても、相互にロックし合っている４６、６０により集塵箱２４はハウジング１４から離れない。
【００３７】
可動爪４６と固定爪６０の両方とも、面取り面６６、６８をそれぞれ備える。
集塵箱２４をハウジング１４に挿入すると（例えば、長手方向軸線Ａに沿ってハウジングの方へ）、面取り面６６、６８が係合する。
面取り面６６、６８が係合し、集塵箱２４がハウジング１４に近づくように押されると、回転可能輪４０と可動爪４６は、集塵箱２４を台にして回転する。
固定爪６０の面取り面６８は、可動爪４６の動きを生じさせるようなカム面を提供する。
可動爪４６の面取り面６６が固定爪６０を開放すると、回転可能輪４０はロック有効位置へすぐに戻り、平坦当接面６２、６４は再度係合する。
図６に示す配置では、可動爪４６は、ユーザーが作動部４８を保持しなければ、固定爪６０の方にすぐ動く。
このことは、ユーザーが集塵箱２４とハウジング１４を再組み合わせするときにロック機構２６は集塵箱２４をハウジング１４に自動的にロックすることを意味する。
【００３８】
いくつかの実施形態では、ロック機構の可動第１部分３６はハウジング１４に取り付けられ、ロック機構２６の固定第２部分３８は集塵箱２４に取り付けられる。
【００３９】
図５は、集塵箱２４をハウジング１４から排出する排出機構７０の一部を示す。
いくつかの実施形態では、排出機構７０は集塵箱を、集塵箱２４の長手方向軸線Ａに沿った方向又は平行した方向に衝き動かす。
しかしながら、ロック機構２６がロック位置にあり、集塵箱２４がハウジング１４に連結されているとき、排出部材７０は集塵箱２４を排出することができない。
ロック機構２６がロック解除位置へと動くと、排出機構７０は集塵箱２４を動かしてハウジング１４から外す。
【００４０】
排出機構７０は、ハウジング１４の壁７２から突き出る。
壁７２は、集塵箱２４が受入れ空洞２９でハウジング１４に連結されているとき集塵箱２４に面する。
排出機構は、集塵箱２４において相補的凹部８０と係合するよう構成される少なくとも１つの凸アーム７４を備える。
相補的凹部８０は、図３に示しており、開放端部３４に隣接する壁の切り取りを含む。
図５は、２つの凸アーム７４の非限定的な例を示すが、いくつの数の凸アーム７４を用いてもよい。
【００４１】
これから、排出機構７０を図７及び８に関連してさらに詳しく論じる。
図７及び８は、ロック機構２６がロック有効位置にある場合と、ロック解除位置にある場合と、それぞれの真空掃除機１０の部分的断面図を開示する。
【００４２】
排出機構７０は、ハウジング１４と凸アーム７４の間に力を働かせる付勢部材７６を備える。
付勢部材７６は、ばね、弾性要素、又は、集塵箱２４を衝き動かしてハウジング１４から離れさせる他のどのような適切な手段であってもよい。
いくつかの実施形態では、付勢部材７６は用いられず、ユーザー操作排出ボタン（図示されない）に替えられる。
ユーザー操作排出ボタンは、凸アームに機械的に連結され、凸アームの動きは、ユーザー操作排出ボタンを動かすことによって引き起こされる。
【００４３】
排出機構７０の凸アーム７４は、ハウジング１４に枢軸７８で枢動可能に取り付けられる。
凸アーム７４は、壁７２を通って突起し、集塵箱２４の凹部８０で係合する。
図７では、ロック機構２６はロック有効位置にあり、排出機構７０は、集塵箱２４を押す用意ができているところである。
排出機構７０は、ユーザーがロック機構２６の作動部４８を操作するときにのみ作動する。
いくつかの代替的実施形態では、凸アーム７４はハウジング１４に、スライド可能に取り付けられる。
【００４４】
ロック機構２６がロック解除されると、排出機構７０は作動する。
これを図８に示す。
排出機構７０の付勢部材７６が復元し、これが、凸アーム７４とハウジング１４の間に力を働かせる。
付勢部材７６が強制的に凸アーム７４を枢動させ、ハウジング１４の底部壁８２から動かして離す。
凸アーム７４がハウジング１４の底部壁８２から動いて離れる際、集塵箱２４はハウジング１４から押し出される。
凸アーム７４の移行量は、停止部材によって制限される。
いくつかの実施形態では、停止部材は壁７２のスロット８４によって決められるが、凸アーム７４の移行を制限するどのような適切な手段であってもよい。
【００４５】
集塵箱２４がハウジング１４から排出されたとき、集塵箱２４は非連結位置にある。
非連結位置では、集塵箱２４はハウジング１４から手動で取り外すことができる。
しかしながら、集塵箱２４の少なくとも一部は、受入れ空洞２９でハウジング１４と依然接触している。
非連結位置にあるとき、又は集塵箱２４が完全に取り外されたとき、長手方向軸線Ａに沿って凸アーム７４のほうが固定爪６０の面取り面６８よりも、ハウジング１４の底部壁８２からさらに離れたところに位置する。
これを図８の距離Ｄによって示す。
このことは、真空掃除機を再組み合わせするときにロック機構の第１部分３６と第２部分３８がお互いに係合する前に凸アーム７４が集塵箱２４の凹部８０と係合することを意味する。
【００４６】
このようにして、排出機構７０が集塵箱２４をハウジング１４から押し出したときに集塵箱２４はハウジングから突き出る。
このことは、集塵箱２４がハウジング１４から取り外しやすいことを意味する。
さらに、ロック機構２６がロック位置に戻るように集塵箱２４がハウジング１４に充分挿入されたときにのみ集塵箱２４はハウジング１４に接して落ち着く。
集塵箱２４がハウジング１４に部分的にのみ挿入された場合、ロック機構が係合する前に、排出機構７０は集塵箱２４を強制的にハウジング１４から出す。
このことは、ユーザーにとって集塵箱２４がハウジング１４に正しく挿入されたか否かが非常に明瞭であることを意味する。
ユーザーはまた、耳に聞こえる「カチッ」という音とともにロック機構２６がロック機構にすぐ戻るので、集塵箱２４が正しく挿入されたことがわかることになる。
【００４７】
いくつかの実施形態では、集塵箱２４が非連結位置にあるときに集塵箱とハウジングの間の摩擦を増す任意の把持要素がある。
いくつかの実施形態では、把持要素は、集塵箱がハウジング１４から排出されたときに集塵箱２４と摩擦ばめができる、ハウジング１４の内壁７２である。
摩擦ばめは、排出機構７０が箱２４を押し出すことができるようなものであるが、ハウジング１４と箱２４の間には隙間ばめはない。
把持要素は、ユーザーが能動的に集塵箱２４をハウジング１４から引き離していないのに集塵箱２４がハウジング１４から落ちる、ということを防ぐように構成される。
このことは、ユーザーがハンドル１２を片手で保持し、次いでロック機構２６をもう一方の手で作動させる場合に、箱２４は床におちないということを意味する。
いくつかの代替的な実施形態では、把持要素は、箱２４がハウジング１４から排出されたときに、箱２４に係合するゴム系要素（図示されない）である。
【００４８】
別の実施形態では、２つ以上の実施形態が組み合わせられる。
１つの実施形態の特徴を他の実施形態の特徴と組み合わせることができる。
【００４９】
本発明の実施形態を、例示した例に詳しく関連して論じた。
しかしながら、本発明の範囲内において、記載された例に対して変更と修正を行ってもよい、ということを理解されたい。
【図１】
2015202409.tif 000003
【図２】
2015202409.tif 000004
【図３】
2015202409.tif 000005
【図４】
2015202409.tif 000006
【図５】
2015202409.tif 000007
【図６】
2015202409.tif 000008
【図７】
2015202409.tif 000009
【図８】
2015202409.tif 000010